(57)【要約】      （修正有）【課題】サイズが小さく、軽量であり、分解および組み立てに便利であり、そして運送費が低い組み立てベッドを提供する。【解決手段】組み立てベッドは、ベッドプレート１と、複数のＵ字形フォーク５、６と、複数の脚部材４、８と、ヘッドフレーム３と、を備える。ベッドプレート１は、複数のプレート１０２〜１０５を含む。複数のＵ字形フォーク５、６は、隣接する２つのプレートの各々の側端部に取り付け及び取り外しできるように第１のネジで固定されることにより、隣接する２つのプレートを接続する。複数の脚部材４、８は、ベッドプレート１に取り付け及び取り外しできるように固定される。ヘッドフレーム３は、ベッドプレート１の前方の端部を挟み込んだ状態で第２のネジで取り付け及び取り外しできるように固定される。【選択図】図１
0003223251.tif 000002
【実用新案登録請求の範囲】
【請求項１】
組み立てベッドであって、
隣接する２つのプレートを含む複数のプレート（１０２、１０３、１０４、１０５）を備えたベッドプレート（１）と、
隣接する前記２つのプレートの各々の側端部に取り付け及び取り外しできるように第１のネジ（９）で固定されることにより、前記２つのプレートを接続する複数のＵ字形フォーク（５、６）と、
前記ベッドプレート（１）に取り付け及び取り外しできるように固定されることにより、前記ベッドプレート（１）を支持する複数の脚部材（４、８）と、
前記ベッドプレート（１）の前方の端部を挟み込んだ状態で第２のネジで取り付け及び取り外しできるように固定される連結部品（３０１）を含むヘッドフレーム（３）と、
を備えた、組み立てベッド。
【請求項２】
請求項１に記載の組み立てベッドであって、
前記複数のプレートは、第１〜第３のプレート（１０２、１０３、１０４）を含み、
前記複数のＵ字形フォークは、第１及び第２のＵ字形フォーク（５、６）を含み、
前記第１のプレート（１０２）と前記第２のプレート（１０３）とが、互いの間に隙間をあけた状態で、前記第１のＵ字形フォーク（５）によって接続されており、
前記第２のプレート（１０３）と前記第３のプレート（１０４）とが、互いの間に隙間をあけた状態で、前記第２のＵ字形フォーク（６）によって接続されている、
組み立てベッド。
【請求項３】
請求項２に記載の組み立てベッドであって、
前記複数の脚部材は、
前記第２のＵ字形フォーク（６）に取り付け及び取り外しできるように固定されることにより、前記ベッドプレート（１）を支持する第１の脚部材（４）と、
前記ベッドプレート（１）の四隅に取り付け及び取り外しできるように固定されることにより、前記ベッドプレート（１）を支持する複数の第２の脚部材（８）と、
を含み、
前記第１及び第２のＵ字形フォーク（５、６）の各々の両端部は、隣接する前記２つのプレートの各々の側端部に前記第１のネジ（９）で固定されるための丸穴を有し、
前記第２のＵ字形フォーク（６）の中央部は、前記第１の脚部材（４）が第３のネジ（１１）で固定されるための丸穴（１９）を有する、
組み立てベッド。
【請求項４】
請求項３に記載の組み立てベッドであって、
前記第１の脚部材（４）はＨ字形の形状を有し、
前記第１の脚部材（４）は、前記第２のＵ字形フォーク（６）の下端に前記第３のネジ（１１）で固定されるための四角板（４０１）を有する、
組み立てベッド。
【請求項５】
請求項３に記載の組み立てベッドであって、
前記複数の第２の脚部材（８）の各々は、上端部にコネクティングポスト（８０１）を含み、前記コネクティングポスト（８０１）の外面はネジ構造（８０３）を有し、
前記コネクティングポスト（８０１）は、前記ベッドプレート（１）の少なくとも一部を貫通しており、前記コネクティングポスト（８０１）の上端部に固定ナット（１３）が設けられることにより、前記複数の第２の脚部材（８）の各々が前記ベッドプレート（１）に固定されている、
組み立てベッド。
【請求項６】
請求項５に記載の組み立てベッドであって、
前記ベッドプレート（１）の下端には、前記複数の第２の脚部材（８）をそれぞれ固定するための複数の三角板（１０１）が固定されており、
前記複数の第２の脚部材（８）の各々は、前記コネクティングポスト（８０１）を一体構造として含み、
前記複数の第２の脚部材（８）の各々の直径は、前記コネクティングポスト（８０１）の直径より大きく、前記複数の第２の脚部材（８）の各々と前記コネクティングポスト（８０１）との接続部に位置する取り付け面（８０２）が、前記複数の三角板（１０１）の１つと接触して固定される、
組み立てベッド。
【請求項７】
請求項１に記載の組み立てベッドであって、
前記連結部品（３０１）は、前記ベッドプレート（１）の端部を挟み込むための横向きＵ字形の形状を有する、
組み立てベッド。
【請求項８】
請求項１に記載の組み立てベッドであって、
前記ヘッドフレーム（３）とともに７字形の形状となるように前記ヘッドフレーム（３）の上端に接続されたヘッドボード（７）と、
前記ヘッドフレーム（３）に前記ヘッドボード（７）を取り付け及び取り外しできるように第４のネジ（１２）で固定されるＬ字形連結部品（１６）と、
をさらに備え、
前記ヘッドボード（７）は、電源プラグ（７０２）を介して外部電源に接続されるコンセント（７０１）を含む、
組み立てベッド。
【請求項９】
請求項１に記載の組み立てベッドであって、
前記ベッドプレート（１）の後方の端部を挟み込んだ状態で取り付け及び取り外しできるように固定される第２のヘッドフレーム（３）
をさらに備えた、組み立てベッド。
【請求項１０】
請求項１〜９のいずれか一項に記載の組み立てベッドを構成する各部品を含む、組み立てキット。
【考案の詳細な説明】
【技術分野】
【０００１】
本考案は家具の分野に属し、組み立てベッド、及びその組み立てキットに関する。
【背景技術】
【０００２】
現存するベッドはかさばり、運搬に不便であり、物流の負担を増大させ、ベッドは小さい部屋のスペースの大部分を占め、スペースの利用率を非常に低くする。床板をベッドから外すことができるベッドは市場にあるが、輸送時にスペースを縮小するという点では理想的ではない。現在のところ、分解されてパッケージされた後のベッドフレームの容積は１．６ｍ３以上であり、運送費が多く、輸送コストがかさむ。
【考案の概要】
【０００３】
そこで、サイズが小さく、軽量であり、分解および組み立てに便利であり、そして運送費が低い組み立てベッドを提供することが望ましい。
【０００４】
上記の技術的問題を解決するために、望ましい技術的解決法は以下の通りである：
組み立てベッドは、ベッドプレート（１）と、複数のＵ字形フォーク（５、６）と、複数の脚部材（４、８）と、ヘッドフレーム（３）と、を備える。ベッドプレート（１）は、隣接する２つのプレートを含む複数のプレート（１０２、１０３、１０４、１０５）を備える。複数のＵ字形フォーク（５、６）は、隣接する２つのプレートの各々の側端部に取り付け及び取り外しできるように第１のネジ（９）で固定されることにより、隣接する２つのプレートを接続する。複数の脚部材（４、８）は、ベッドプレート（１）に取り付け及び取り外しできるように固定されることにより、ベッドプレート（１）を支持する。ヘッドフレーム（３）は、ベッドプレート（１）の前方の端部を挟み込んだ状態で第２のネジで取り付け及び取り外しできるように固定される連結部品（３０１）を含む。
【０００５】
また、複数のプレートは、第１〜第３のプレート（１０２、１０３、１０４）を含む。複数のＵ字形フォークは、第１及び第２のＵ字形フォーク（５、６）を含む。第１のプレート（１０２）と第２のプレート（１０３）とが、互いの間に隙間をあけた状態で、第１のＵ字形フォーク（５）によって接続されている。第２のプレート（１０３）と第３のプレート（１０４）とが、互いの間に隙間をあけた状態で、第２のＵ字形フォーク（６）によって接続されている。
【０００６】
また、複数の脚部材は、第１の脚部材（４）と複数の第２の脚部材（８）とを含む。第１の脚部材（４）は、第２のＵ字形フォーク（６）に取り付け及び取り外しできるように固定されることにより、ベッドプレート（１）を支持する。複数の第２の脚部材（８）は、ベッドプレート（１）の四隅に取り付け及び取り外しできるように固定されることにより、ベッドプレート（１）を支持する。第１及び第２のＵ字形フォーク（５、６）の各々の両端部は、隣接する２つのプレートの各々の側端部に第１のネジ（９）で固定されるための丸穴を有する。第２のＵ字形フォーク（６）の中央部は、第１の脚部材（４）が第３のネジ（１１）で固定されるための丸穴（１９）を有する。
【０００７】
また、第１の脚部材（４）はＨ字形の形状を有する。第１の脚部材（４）は、第２のＵ字形フォーク（６）の下端に第３のネジ（１１）で固定されるための四角板（４０１）を有する。
【０００８】
また、複数の第２の脚部材（８）の各々は、上端部にコネクティングポスト（８０１）を含み、コネクティングポスト（８０１）の外面はネジ構造（８０３）を有する。コネクティングポスト（８０１）は、ベッドプレート（１）の少なくとも一部を貫通しており、コネクティングポスト（８０１）の上端部に固定ナット（１３）が設けられることにより、複数の第２の脚部材（８）の各々がベッドプレート（１）に固定されている。
【０００９】
また、ベッドプレート（１）の下端には、複数の第２の脚部材（８）をそれぞれ固定するための複数の三角板（１０１）が固定されている。複数の第２の脚部材（８）の各々は、コネクティングポスト（８０１）を一体構造として含む。複数の第２の脚部材（８）の各々の直径は、コネクティングポスト（８０１）の直径より大きく、複数の第２の脚部材（８）の各々とコネクティングポスト（８０１）との接続部に位置する取り付け面（８０２）が、複数の三角板（１０１）の１つと接触して固定される。
【００１０】
また、連結部品（３０１）は、ベッドプレート（１）の端部を挟み込むための横向きＵ字形の形状を有する。
【００１１】
また、組み立てベッドは、ヘッドボード（７）とＬ字形連結部品（１６）とをさらに備える。ヘッドボード（７）は、ヘッドフレーム（３）とともに７字形の形状となるようにヘッドフレーム（３）の上端に接続されている。Ｌ字形連結部品（１６）は、ヘッドフレーム（３）にヘッドボード（７）を取り付け及び取り外しできるように第４のネジ（１２）で固定される。
また、ヘッドボード（７）は、電源プラグ（７０２）を介して外部電源に接続されるコンセント（７０１）を含む。
【００１２】
さらに、組み立てベッドは、ベッドプレート（１）の後方の端部を挟み込んだ状態で取り付け及び取り外しできるように固定される第２のヘッドフレーム（３）をさらに備える。
【００１３】
組み立てキットは、上述の組み立てベッドを構成する各部品を含む。
【００１４】
以上の構成又は以下に説明される実施形態の構成によれば、先行技術と比較して、次のような利点と好ましい効果が実現され得る。
１、ベッドプレート（１）に含まれる隣接する２つのプレート、ベッドプレート（１）と複数の脚部材（４、８）、ベッドプレート（１）とヘッドフレーム（３）は、いずれも取り付け及び取り外しできる構造である。このため、箱詰めに便利だし、梱包容積が小さいし、スペースが節約され、組み立てキットのパッケージのサイズは９８５ｍｍ×４７５ｍｍ×１４５ｍｍであり、梱包後の容積は１．６ｍ３未満で、輸送と配送料金を節約できる。
【００１５】
２、複数のプレート（１０２、１０３、１０４、１０５）の間には隙間があけられている。これにより、ベッドプレート（１）全体の長さが増加するし、複数のプレートの側面の高精度の加工を要求する必要がなくなり、加工コストが節約される。
【００１６】
３、組み立てベッドは、ヘッドボード（７）とＬ字形連結部品（１６）とをさらに備える。ヘッドボード（７）には、ユーザの便利のために小さな物または就寝前時の読み物を置くことができる。
【００１７】
４、ヘッドボード（７）は、電源プラグ（７０２）を介して外部電源に接続されるコンセント（７０１）を含む。これにより、携帯電話やコンピュータの充電もできる。
【００１８】
５、ベッドプレート（１）を構成する複数のプレートは、前方のプレートと後方のプレートとで交換可能である。また、組み立てベッドは、ベッドプレート（１）の前方の端部を挟み込んだ状態で取り付け及び取り外しできるように固定されるヘッドフレーム（３）を備えるだけでなく、便利な使用のために、ベッドプレート（１）の後方の端部を挟み込んだ状態で取り付け及び取り外しできるように固定される第２のヘッドフレーム（３）を備えることも可能である。
【図面の簡単な説明】
【００１９】
この実用新案の一部を形成する図面は、この実用新案をさらに理解するために提供されている。この実用新案の例示的な実施形態及びその説明は、この実用新案を説明するためのものであり、実用新案を過度に限定することを意図するものではない。
【図１】図１は、この実用新案による組み立てベッドの概略構造図である；
【図２】図２は、この実用新案のベッドプレートの概略構造図である；
【図３】図３は、この実用新案のベッドプレート、脚部材、及びＵ字形フォークの概略構造図である；
【図４】図４は、図３のＡ部分の詳細拡大図である；
【図５】図５は、図３のＤ部分の詳細拡大図である；
【図６】図６は、第２の脚部材の概略構成図である；
【図７】図７は、第１の脚部材の概略構成図である；
【図８】図８は、この実用新案のベッドプレート及びヘッドフレームの概略構造図である。
【図９】図９は、この実用新案のベッドプレート、ヘッドフレーム及びヘッドボードの概略構造図である。
【図１０】図１０は、図９のＣ部分の詳細拡大図である。
【図１１】図１１は、この実用新案の組み立てベッドの構成を示す概略図である。
【考案を実施するための形態】
【００２０】
なお、この実用新案の１つの実施形態の特徴と他の実施形態の特徴とは、矛盾なく組み合わされてもよい。
この実用新案の説明において、用語「中央」、「縦」、「横」、「上」、「下」、「前」、「後」、「左」、「右」、「垂直」、「水平」、「上部」、「下部」、「内側」、「外側」などの表示の向きまたは位置関係は、実用性を説明するためにのみ言及され、図面に示される向きまたは位置関係に基づいている。特定の向きを有すると言及された手段または要素は、特定の向きで構築および操作されるものとして、あるいは本発明を限定するものとして解釈されることを意図または示唆するものではない。さらに、「第１」、「第２」などの用語は、説明のみを目的として使用されており、相対的な重要性を示すもしくは暗示する、または示される技術的特徴の数を暗黙的に示すと解釈されるべきではない。したがって、「第１」、「第２」などを定義する特徴は、明示的または暗黙的のいずれかで、その特徴のうちの１つまたは複数を含むことができる。本発明の説明において、「複数」とは、特に断りのない限り、２以上を意味する。
【００２１】
本発明の説明において、特に明確な規定と限定がない限り、「設置」、「連結された」、及び「接続された」という用語は広く理解されるべきであり、例えば固定接続、取り外し可能な接続であってもよい、または一体的な接続であり得、機械的な接続または電気的な接続であり得、直接に接続されてもよいし、中間媒体を介して間接的に接続されてもよいし、または２つの部品の間に接続されてもよい。この実用新案における上記用語の具体的な意味は、当業者によって理解され得る。
【００２２】
以下、本実用新案の実施の形態について図面を参照しながら詳細に説明する。
【００２３】
＜組み立てベッド＞
図１〜図１１に示すように、組み立てベッドは、ベッドプレート１と、ヘッドフレーム３と、複数の第２の脚部材８と、を含む。
【００２４】
ベッドプレート１は複数のプレートを含む。複数のプレートは、第１〜第４のプレート１０２、１０３、１０４、１０５を含む。複数のプレートのうちの水平方向に隣接する２つのプレートの各々の側端部には、Ｕ字形フォークが第１のネジ９で固定される。これにより、隣接する２つのプレートが接続される。Ｕ字形フォークとして、第１のＵ字形フォーク５又は第２のＵ字形フォーク６が用いられる。
【００２５】
ベッドプレート１は複数の脚部材によって支持される。複数の脚部材は、複数の第２の脚部材８を含むほか、第１の脚部材４を含んでもよい。
【００２６】
ヘッドフレーム３の下端部両側には一体型の連結部品３０１が配置されている。連結部品３０１は、ベッドプレート１の前方の端部を挟み込む。この状態で、連結部品３０１とベッドプレート１は第２のネジ（図示せず）で固定される。
【００２７】
ベッドプレート１に含まれる隣接する２つのプレート、ベッドプレート１と第１の脚部材４、ベッドプレート１と複数の第２の脚部材８、ベッドプレート１とヘッドフレーム３は、いずれも取り付け及び取り外しできる構造である。このため、組み立てベッドを構成する部品を組み立てキットとして製造販売する場合でも、箱詰めに便利で梱包容積が少なく、省スペースである。梱包容量は１．６ｍ３未満で、送料を節約できる。
【００２８】
＜ベッドプレート１＞
図１〜図５に示すように、ベッドプレート１に含まれる第１〜第４のプレート１０２、１０３、１０４、１０５は、一方向に並べて接続されている。
第１〜第４のプレート１０２、１０３、１０４、１０５は互いに接着されておらず、これらの４枚のプレートはスプライスで配置されて接続される。そして、組み立てを容易にするために、隣接する第１のプレート１０２と第２のプレート１０３、及び隣接する第３のプレート１０４と第４のプレート１０５は、第１のＵ字形フォーク５と第１のネジ９によって接続され、隣接する第２のプレート１０３と第３のプレート１０４は、第２のＵ字形フォーク６と第１のネジ９によって接続されている。
第１〜第４のプレート１０２、１０３、１０４、１０５の間にはある程度の隙間があけられている。これにより、ベッドプレート１全体の長さが増加するし、第１〜第４のプレート１０２、１０３、１０４、１０５の側面の高精度の加工を要求する必要がなくなり、加工コストが節約される。
【００２９】
第１のＵ字形フォーク５の前後両端部には、それぞれ対応するプレートに接続する２つの丸穴がある。これらの丸穴は、対応する２つのプレートに、第１のＵ字形フォーク５を第１のネジ９で固定するために用いられる。
第２のＵ字形フォーク６の前後両端部には、それぞれ対応するプレートに接続する丸穴がある。この丸穴は、対応する２つのプレートに、第２のＵ字形フォーク６を第１のネジ９で固定するために用いられる。そして、第２のＵ字形フォーク６の中央部には、第１の脚部材４に接続する２つの丸穴１９がある。これらの丸穴１９は、第２のＵ字形フォーク６に第１の脚部材４を第３のネジ１１で固定するために用いられる。
【００３０】
第１のプレート１０２の前方の下端と第４のプレート１０５の後方の下端との各々には、三角板１０１が溶接されて固定されている。後述のように、三角板１０１には第２の脚部材８が連結される。三角板１０１は、第１のプレート１０２及び第４のプレート１０５の下端に、対応する第２の脚部材８が接続されるのを容易にする。
【００３１】
＜第１の脚部材４、第２の脚部材８＞
図３に示すように、第１の脚部材４は、ベッドプレート１の前後方向の中央に位置する。複数の第２の脚部材８は、ベッドプレート１の四隅に位置する。
図３、図５、図７に示すように、第１の脚部材４は、第２のＵ字形フォーク６の下端に配置される。第１の脚部材４はＨ字形の形状を有し、第１の脚部材４の上端には四角板４０１が溶接されて固定されている。四角板４０１は、第３のネジ１１によって、第２のＵ字形フォーク６に取り付け及び取り外しできるように結合される。第３のネジ１１は、四角板４０１と第２のＵ字形フォーク６とを下から上に貫通し、上端部がナットできつく締められることによって、第１の脚部材４と第２のＵ字形フォーク６とを連結固定する。
【００３２】
図３、図４及び図６に示すように、複数の第２の脚部材８は、第１のプレート１０２及び第４のプレート１０５の下端にそれぞれ配置される。第２の脚部材８の各々の上端部はコネクティングポスト８０１を含み、コネクティングポスト８０１の外面はネジ構造８０３を有している。第２の脚部材８の上端部のコネクティングポスト８０１が、ベッドプレート１の下から三角板１０１の丸穴に挿入され、三角板１０１を貫通したコネクティングポスト８０１の上端部が固定ナット１３できつく締められる。これにより、第２の脚部材８が固定ナット１３によって第１のプレート１０２または第４のプレート１０５に固定される。
【００３３】
図６に示すように、第２の脚部材８はコネクティングポスト８０１を一体構造として含んでいる。第２の脚部材８の直径は、コネクティングポスト８０１の直径より大きく、両者の接続部に取り付け面８０２が位置する。三角板１０１の下端面に、第２の脚部材８の取り付け面８０２が接触して固定される。取り付け面８０２の位置が、床面からベッドプレート１までの高さを規定する。
【００３４】
＜ヘッドフレーム３、ヘッドボード７＞
図８に示すように、連結部品３０１は横向きＵ字形の形状を有する。連結部品３０１に対して第１のプレート１０２の前方の端部が横方向に差し込まれることにより、連結部品３０１は、第１のプレート１０２の前方の端部を挟み込む。連結部品３０１と第１のプレート１０２とは、第２のネジ（図示せず）により連結され、固定される。
【００３５】
図９、図１０および図１１に示すように、ヘッドフレーム３は、その上端にヘッドボード７が取り付けられるようになっている。ヘッドフレーム３とヘッドボード７が７字形の形状となるように接続される。ヘッドフレーム３とヘッドボード７は、Ｌ字形連結部品１６と、第４のネジ１２とによって、取り付け及び取り外しできるように固定されている。ユーザによる便利な使用のためにいくつかの小さな対象物または就寝時の読み物をヘッドボード７上に置くことができる。
ヘッドボード７にはコンセント７０１が埋め込まれ、コンセント７０１は電源プラグ７０２を介して外部電源に接続され、携帯電話やコンピュータ等の充電を容易にすることが好ましい。
【００３６】
図１１に示すように、第１のプレート１０２の前端にヘッドフレーム３を備えるだけでなく、便利な使用のために、第４のプレート１０５の後端に第２のヘッドフレーム３を備えることも可能である。第２のヘッドフレーム３の取り付け構造は、上述したヘッドフレーム３の取り付け構造と同様である。
また、ベッドプレート１を構成する複数のプレートは、前方のプレートと後方のプレートとで交換可能である。なお、「前」はユーザの頭側に相当し、「後」はユーザの足側に相当する。
【００３７】
＜まとめ＞
以上述べたように、第１〜第４のプレート１０２、１０３、１０４、１０５が水平に配置される。第１〜第４のプレート１０２、１０３、１０４、１０５は互いに接触していない。第１のプレート１０２の前端部と第４のプレート１０５の後端部にはそれぞれ三角板１０１が接合されている。
第１のプレート１０２と第２のプレート１０３、第３のプレート１０４と第４のプレート１０５の互いに隣接する側端部は第１のＵ字形フォーク５によって接合される。第２のプレート１０３と第３のプレート１０４の互いに隣接する側端部は第２のＵ字形フォーク６によって接合される。第１のＵ字形フォーク５の前後両端部には、対応するプレートに接続する２つの丸穴がある。第２のＵ字形フォーク６の前後両端部には、対応するプレートに接続する丸穴があり、そして中央部には第１の脚部材４に接続される２つの丸穴１９がある。
第１のプレート１０２の前端部と第４のプレート１０５の後端部との各々は第２の脚部材８によって支持される。第２のプレート１０３と第３のプレート１０４との接合部に配置された第２のＵ字形フォーク６は第１の脚部材４によって支持されている。
【００３８】
第１の脚部材４はＨ字形の形状を有し、上端には溶接された四角板４０１を有する。四角板４０１は第２のＵ字形フォーク６の下端面に接触する。第１の脚部材４と第２のＵ字形フォーク６の組み立てを実現するために第３のネジ１１で両者を固定する。
第２の脚部材８の上端部はコネクティングポスト８０１を含む。コネクティングポスト８０１は、第２の脚部材８の上端部以外の部分と一体であり、コネクティングポスト８０１の外面にはネジ構造８０３が形成されている。第２の脚部材８の上端部のコネクティングポスト８０１を三角板１０１に下から上に通し、コネクティングポスト８０１の上端部を固定ナット１３にねじ込むことにより、第２の脚部材８を第１のプレート１０２または第４のプレート１０５に固定する。第２の脚部材８とコネクティングポスト８０１との接続部に位置する取り付け面８０２が、床面からベッドプレート１までの高さを規定する。
【００３９】
ヘッドフレーム３とヘッドボード７が７字形に接合されている。ヘッドフレーム３とヘッドボード７は、Ｌ字形連結部品１６及び第４のネジ１２によって取り付け及び取り外しできるように連結されている。ヘッドボード７には、ユーザの便利のために小さな物または就寝前時の読み物を置くことができる。ヘッドボード７にはコンセント７０１が埋め込まれ、コンセント７０１は、携帯電話やコンピュータの充電を容易にするために電源プラグ７０２を介して外部電源に接続できる。ベッドプレート１は、前方のプレートと後方のプレートとを交換して使用することができ、ヘッドフレーム３は、ベッドプレート１の前後両側に設置されることもできる。
ベッドフレームの包みサイズは９８５ｍｍ×４７５ｍｍ×１４５ｍｍで、梱包後の容量は１．６ｍ３未満で、輸送費と宅配便費を節約することができる。
【００４０】
以上述べたのは本実用新案の好ましい実施例にすぎない、それは本実用新案を限定することを意図するものではなく、本実用新案の精神及び範囲内で行われる任意の修正、等価の置換、改良などは本実用新案の請求項の範囲内に含まれることが意図されている。
【符号の説明】
【００４１】
１…ベッドプレート；  １０１…三角板；  １０２…第１のプレート；  １０３…第２のプレート；  １０４…第３のプレート；  １０５…第４のプレート；
３…ヘッドフレーム；  ３０１…連結部品；
４…第１の脚部材；  ４０１…四角板；
５…第１のＵ字形フォーク；
６…第２のＵ字形フォーク；
７…ヘッドボード；  ７０１…コンセント；  ７０２…電源プラグ；
８…第２の脚部材；  ８０１…コネクティングポスト；  ８０２…取り付け面；  ８０３…ネジ構造；
９…第１のネジ；  １１…第３のネジ；  １２…第４のネジ；  １３…固定ナット；  １６…Ｌ字形連結部品；  １９…丸穴。
【図１】
0003223251.tif 000003
【図２】
0003223251.tif 000004
【図３】
0003223251.tif 000005
【図４】
0003223251.tif 000006
【図５】
0003223251.tif 000007
【図６】
0003223251.tif 000008
【図７】
0003223251.tif 000009
【図８】
0003223251.tif 000010
【図９】
0003223251.tif 000011
【図１０】
0003223251.tif 000012
【図１１】
0003223251.tif 000013